(57)【要約】      （修正有）【課題】高周波に対応できる帯域通過フィルタ装置を提供する。【解決手段】第１の空芯コイルＬ１０１と可変コンデンサＣ１０１と、第２の空芯コイルＬ２０１と可変コンデンサＣ２０１と、第３の空芯コイルＬ３０１と可変コンデンサＣ３０１とから主に構成され、Ｌ１０１とＬ２０１とＬ３０１とは、互いに磁気結合されている帯域通過フィルタにおいて、Ｌ１０１が７ターン、Ｌ２０１が８ターン、Ｌ３０１が７ターンであり、Ｌ１０１の信号経路からおよそ２ターンとＬ２０１の信号経路からおよそ３ターンとＬ３０１の信号経路からおよそ２ターンとを、導通線材で接続する。【選択図】図１
2015186116.tif 000002
【特許請求の範囲】
【請求項１】
第１のコイルＬ１０１と可変コンデンサＣ１０１と、第２のコイルＬ２０１と可変コンデンサＣ２０１と、第３のコイルＬ３０１と可変コンデンサＣ３０１とから主に構成され、前記第１のコイルＬ１０１と前記第２のコイルＬ２０１と前記第３のコイルＬ３０１とは、互いに誘導性結合されている帯域通過フィルタにおいて、
前記第１のコイルＬ１０１の中間と前記第２のコイルＬ２０１の中間と前記第３のコイルＬ３０１の中間とを、導通線材で接続したことを特徴とする帯域通過フィルタ。
【請求項２】
請求項１の帯域通過フィルタにおいて、
前記第１のコイルＬ１０１が７ターンであり、前記第２のコイルＬ２０１が８ターンであり、前記第３のコイルＬ３０１が７ターンであり、
前記第１のコイルＬ１０１の信号経路からおよそ２ターンと前記第２のコイルＬ２０１の信号経路からおよそ３ターンと前記第３のコイルＬ３０１の信号経路からおよそ２ターンとを、導通線材で接続したことを特徴とする帯域通過フィルタ。
【請求項３】
請求項１の帯域通過フィルタにおいて、
前記第１のコイルＬ１０１が２ターンであり、前記第２のコイルＬ２０１が３ターンであり、前記第３のコイルＬ３０１が２ターンであり、
前記第１のコイルＬ１０１の信号経路からおよそ０．４ターンと前記第２のコイルＬ２０１の信号経路からおよそ０．７５ターンと前記第３のコイルＬ３０１の信号経路からおよそ０．６ターンとを、導通線材で接続したことを特徴とする帯域通過フィルタである。
【発明の詳細な説明】
【技術分野】
【０００１】
本発明は、帯域通過フィルタ、特に超短波（Very  High  Frequency：以下ＶＨＦ）以上の帯域通過フィルタに関するものである。
【背景技術】
【０００２】
従来の帯域通過フィルタ装置について図１を使って説明する。図１は、従来の周波数可変帯域通過フィルタの構成を示す等価回路図である。従来の帯域通過フィルタ装置は、図１に示すように、第１のコイルＬ１０１と可変コンデンサＣ１０１と、第２のコイルＬ２０１と可変コンデンサＣ２０１と、第３のコイルＬ３０１と可変コンデンサＣ３０１とから主に構成されている。
【０００３】
図１のＭ２１とＭ３２とＭ３１の様に、第１のコイルＬ１０１と第２のコイルＬ２０１と第３のコイルＬ３０１とは、互いに誘導性結合されている。
【０００４】
また、  特許文献１の特開平１０−１２６２８１は、中間可動接点から接線を取り出したフィルタ装置である。
【０００５】
つまり、ダブルπ形回路の直列アームの少なくとも１つの可変コイルＬ２の中間可動接点から先のフリーターンの端末を出力端子から外して接地しコイルＬ３とする。コイルＬ３と出力側コンデンサＣ３とで単同調回路を形成したフィルタ装置である。
【先行技術文献】
【特許文献】
【０００６】
【特許文献１】特開平１０−１２６２８１
【発明の概要】
【発明が解決しようとする課題】
【０００７】
本発明の目的は、ＶＨＦ以上の帯域通過フィルタを提供することである。
【課題を解決するための手段】
【０００８】
本発明は上記課題を解決するため、
第１の（空芯）コイルＬ１０１と可変コンデンサＣ１０１と、第２の（空芯）コイルＬ２０１と可変コンデンサＣ２０１と、第３の（空芯）コイルＬ３０１と可変コンデンサＣ３０１とから主に構成され、前記第１の（空芯）コイルＬ１０１と前記第２の（空芯）コイルＬ２０１と前記第３の（空芯）コイルＬ３０１とは、互いに誘導性結合されている帯域通過フィルタにおいて、
前記第１の（空芯）コイルＬ１０１の中間と前記第２の（空芯）コイルＬ２０１の中間と前記第３の（空芯）コイルＬ３０１の中間とを、導通線材で接続したことを特徴とする帯域通過フィルタである。
【０００９】
具体的には、前記帯域通過フィルタにおいて、
前記第１の（空芯）コイルＬ１０１が７ターンであり、前記第２の（空芯）コイルＬ２０１が８ターンであり、前記第３の（空芯）コイルＬ３０１が７ターンであり、
前記第１の（空芯）コイルＬ１０１の信号経路からおよそ２ターンと前記第２の（空芯）コイルＬ２０１の信号経路からおよそ３ターンと前記第３の（空芯）コイルＬ３０１の信号経路からおよそ２ターンとを、導通線材で接続したことを特徴とする帯域通過フィルタである。
【００１０】
また、前記帯域通過フィルタにおいて、
前記第１の（空芯）コイルＬ１０１が２ターンであり、前記第２の（空芯）コイルＬ２０１が３ターンであり、前記第３の（空芯）コイルＬ３０１が２ターンであり、
前記第１の（空芯）コイルＬ１０１の信号経路からおよそ０．４ターンと前記第２の（空芯）コイルＬ２０１の信号経路からおよそ０．７５ターンと前記第３の（空芯）コイルＬ３０１の信号経路からおよそ０．６ターンとを、導通線材で接続したことを特徴とする帯域通過フィルタである。
【発明の効果】
【００１１】
本発明により、ＶＨＦ以上の帯域通過フィルタを提供することができる。
【図面の簡単な説明】
【００１２】
【図１】周波数可変帯域通過フィルタの構成を示す等価回路図
【図２】本発明の１実施例の帯域通過フィルタの周波数特性を示す模式図
【発明を実施するための形態】
【００１３】
本発明は、ＶＨＦや極超短波（Ultra  High  Frequency：以下ＵＨＦ）以上の周波数において、  本発明の１実施例の帯域通過フィルタの周波数特性を示す模式図の図３の様に、選択特性がよい通過フィルタである。図３では、中心周波数220MHz通過帯域100MHzとなっている。
【００１４】
本発明と、従来の帯域通過フィルタの構成を示す等価回路図の図４との相違は、Ｌ１０１の中間とＬ２０１の中間とＬ３０１の中間とを、導通線材で接続したことである。
【００１５】
つまり、第１の空芯コイルＬ１０１と可変コンデンサＣ１０１と、第２の空芯コイルＬ２０１と可変コンデンサＣ２０１と、第３の空芯コイルＬ３０１と可変コンデンサＣ３０１とから主に構成され、Ｌ１０１とＬ２０１とＬ３０１とは、互いに誘導性結合されている帯域通過フィルタにおいて、Ｌ１０１の中間とＬ２０１の中間とＬ３０１の中間とを、導通線材で接続したことを特徴とする帯域通過フィルタである。
【実施例１】
【００１６】
実施例１では、  前記帯域通過フィルタにおいて、前記第１の空芯コイルＬ１０１が７ターンであり、前記第２の空芯コイルＬ２０１が８ターンであり、前記第３の空芯コイルＬ３０１が７ターンとする。
そして、中心周波数例えば220MHzの波長約１．４ｍ等に比べ、例えば9ｍｍ等十分に短い全長の空芯コイルを、例えば9ｍｍ等十分に狭い間隔で同一方向に配置して、互いに誘導性結合されるようにする。
【００１７】
前記第１の空芯コイルＬ１０１の信号経路からおよそ２ターンと前記第２の空芯コイルＬ２０１の信号経路からおよそ３ターンと前記第３の空芯コイルＬ３０１の信号経路からおよそ２ターンとを、導通線材で接続する。
【実施例２】
【００１８】
実施例２では、  帯域通過フィルタにおいて、前記第１の空芯コイルＬ１０１が２ターンであり、前記第２の空芯コイルＬ２０１が３ターンであり、前記第３の空芯コイルＬ３０１が２ターンとする。
そして、中心周波数例えば220MHzの波長約１．４ｍ等に比べ、例えば9ｍｍ等十分に短い全長の空芯コイルを、例えば9ｍｍ等十分に狭い間隔で同一方向に配置して、互いに誘導性結合されるようにする。
【００１９】
前記第１の空芯コイルＬ１０１の信号経路からおよそ０．４ターンと前記第２の空芯コイルＬ２０１の信号経路からおよそ０．７５ターンと前記第３の空芯コイルＬ３０１の信号経路からおよそ０．６ターンとを、導通線材で接続する。
【産業上の利用可能性】
【００２０】
本発明により、ＶＨＦや極超短波（Ultra  High  Frequency：以下ＵＨＦ）以上の周波数において、選択特性のよい通過フィルタを提供することができる。
【符号の説明】
【００２１】
ＣＮ１００，ＣＮ４００：入出力コネクタ、
Ｌ１０１，Ｌ２０１，Ｌ３０１：空芯コイル、
Ｗ９１，Ｗ９２：導通線材、
Ｃ１０１，Ｃ２０１，Ｃ３０１：可変コンデンサ、
Ｃ１００，Ｃ４００：コンデンサ、
【図１】
2015186116.tif 000003
【図２】
2015186116.tif 000004